(57)【要約】      （修正有）【課題】従来の残存型枠の製造において熟練の職人が必要となる、手間がかかる、長時間を要するという問題点を解決し、簡単に短時間で製造できる残存型枠を提供する。【解決手段】残存型枠１は複数本の太鼓材３と複数本の金属製支持部材５との間に板状体７を備える。複数本の太鼓材３は、太鼓材同士が接触しないように同一平面上に配設され、複数本の金属製支持部材５は、複数本の太鼓材が配設された方向と交差する方向であって、各金属製支持部材が相互に接触しないように同一平面上に配設される。金属製支持部材５と板状体７と太鼓材３は、金属製支持部材の長手側両方向に備える複数の固着具９により固着される。【選択図】図１０
0003212129.tif 000002
【実用新案登録請求の範囲】
【請求項１】
複数本の太鼓材と複数本の金属製支持部材との間に板状体を備える残存型枠であって、
該複数本の太鼓材は、該太鼓材同士が接触しないように同一平面上に配設され、
該複数本の金属製支持部材は、該複数本の太鼓材が配設された方向と交差する方向であって、該各金属製支持部材が相互に接触しないように同一平面上に配設され、
該金属製支持部材と該板状体と該太鼓材とは、該金属製支持部材の長手側両方向に備える複数の固着具により固着せしめることを特徴とする板状体を備える残存型枠。
【請求項２】
前記板状体は合板であることを特徴とする請求項１記載の板状体を備える残存型枠。
【考案の詳細な説明】
【技術分野】
【０００１】
本考案は、板状体を備える残存型枠に関するものであり、例えば、土砂の崩壊防止用等のコンクリート構造物を形成する際にはコンクリート打設用の型枠として用いられ、コンクリートの硬化後も除去させることなく該コンクリート構造物の表面に残存させるようにしたものである。実用新案登録請求の範囲を含む本明細書において、「太鼓材」とは丸太の対向する二面を平行に切り落として製材した木材をいう。
【背景技術】
【０００２】
残存型枠として、本考案者は実用新案登録第３１０６２１１号公報にて、複数本の棒状体木材（丸太）を並列させた状態で溝形鋼等の支持部材に固着させてなる木製残存型枠（以下、「従来の残存型枠」という）を開示した。
【０００３】
しかるに、特許文献（実用新案登録第３１０６２１１号）に開示された従来の残存型枠においては、複数本の棒状体木材（丸太）は自然物であり、太さ、節の位置が均一ではなく、曲っているものもあるため、該棒状体木材（丸太）を密着した状態で並列する作業は手間がかかり、長時間を要するという問題点がある。
【先行技術文献】
【特許文献】
【０００４】
【特許文献１】実用新案登録第３１０６２１１号公報
【考案の概要】
【考案が解決しようとする課題】
【０００５】
本考案は、従来の残存型枠の製造において手間がかかる、長時間を要するという問題点を解決し、容易に短時間で製造できる残存型枠を提供することを目的とする。
【課題を解決するための手段】
【０００６】
本考案者は上記目的を達成するため本考案は、下記板状体を備える残存型枠を提供するものである。
【０００７】
複数本の太鼓材と複数本の金属製支持部材との間に板状体を備える残存型枠であって、
該複数本の太鼓材は、該太鼓材同士が接触しないように同一平面上に配設され、
該複数本の金属製支持部材は、該複数本の太鼓材が配設された方向と交差する方向であって、該各金属製支持部材が相互に接触しないように同一平面上に配設され、
該金属製支持部材と該板状体と該太鼓材とは、該金属製支持部材の長手側両方向に備える複数の固着具により固着せしめることを特徴とする板状体を備える残存型枠である（請求項１）。
【０００８】
前記板状体は合板であることを特徴とする請求項１記載の板状体を備える残存型枠である（請求項２）。
【考案の効果】
【０００９】
請求項１の考案によれば、従来の残存型枠において複数本の棒状体木材（丸太）を並列して形成する箇所を板状体とするため、複数本の棒状体木材（丸太）を並列させる工程が不要となり、容易に短時間で製造できる。また、該板状体を固着せしめる太鼓材は強度があり、安価である。そのため、請求項１の考案による板状体を備えた残存型枠は、高い強度を有し、容易に短時間で製造でき、製造コストを安価にすることが可能となる。
【００１０】
請求項２の考案は、板状体を合板とする。合板は規格が同一で、軽量であることから、更に容易に短時間で該残存型枠を製造することができる。また、合板は容易に入手できるため、更に材料の入手の手間がかからず製造コストを安価にすることが可能となる。
【図面の簡単な説明】
【００１１】
【図１】図１は、本考案にかかる板状体を備える残存型枠の一例を示す正面図である。
【図２】図２は、図１の背面図である。
【図３】図３は、図１の平面図である。
【図４】図４は、図１の右側面図である。
【図５】図５は、図２におけるV部分の拡大図である。
【図６】図６は、図３におけるVI−VI部分拡大図である。
【図７】図７は、図４におけるVII−VII部分拡大図である。
【図８】図８は、図５におけるＶＩＩＩ−ＶＩＩＩ部分断面図である。
【図９】図９は、図５におけるＩX−ＩX部分断面図である。
【図１０】図１０は、合板を備える残存型枠の設置状態の一例を示す側面図である。
【考案を実施するための形態】
【００１２】
本考案の実施の形態について図面を参照して説明する。
【００１３】
図１は本考案の一例を示す板状体７を備える残存型枠１の正面図、図２は図１の背面図、図３は図１の平面図、図４は図１の右側面図である。複数本の太鼓材３と複数本の金属製支持部材５との間に板状体７を備える。太鼓材３は丸太の対向する二面を平行に切り落として製材したものであり、該板状体７は、該太鼓材３における一の平面と接合させる。一例として、該複数の太鼓材３は該太鼓材３同士が接触しないように同一平面上の縦方向に配設される。該複数本の金属製支持部材５は、該太鼓材３と該金属製支持部材５とで該板状体７を挟持するように、該太鼓材３と略垂直に交差する方向に配設される。該金属製支持部材５と該板状体７と該太鼓材３とは、該金属製支持部材５の長手側両方向に備える複数の固着具９により固着せしめる。
【００１４】
板状体７は、例えば、木、金属、合成樹脂等の板状体を用いる。該板状体７は、好ましくは合板を用いる。該板状体７は１枚の板状体からなるものでもよく、例えば図１、図２に示すように一面に並べた複数枚の板状体からなるものでもよい。
【００１５】
該金属製支持部材５と該板状体７と該太鼓材３とを該固着具９により固着せしめるにあたり、予め該板状体７と該太鼓材３とを固定手段１９（図２参照）で固定することにより、該固着具９による該金属製支持部材５と該板状体７と該太鼓材３との固着が容易となる。該固定手段１９は一例として釘、ネジ等を用いる。
【００１６】
図１乃至図４においては、一例として該太鼓材３を縦方向に配して該金属製支持部材５を横方向に配しているが、該太鼓材３を横方向に配して該金属製支持部材５を縦方向に配してもよい。
【００１７】
図５乃至図７は、該固着具９を備える部分の拡大図である。図８及び図９は、該固着具９を備える部分の拡大断面図である。該金属製支持部材５と該板状体７と該太鼓材３とは、該金属製支持部材５の長手側両方向に備える該固着具９により固着される。固着具９は、一例として金属製の座金１１と該座金１１を挿通するコーチスクリュー１３を用い、該コーチスクリュー１３は板状体７を貫通して太鼓材３にねじ込まれることにより、該金属製支持部材５と該板状体７と該太鼓材３とを固着せしめる。
【００１８】
該金属製支持部材５の形状は、一例として平板型、溝形、Ｌ型、Ｔ型などを用いる。好ましくは、該金属製支持部材５は立ち上がり部分を有する溝形、Ｌ字型、Ｔ字型を用い、該座金１１は該金属製支持部材５の立ち上がり部分に係止させる屈曲部を備えさせることにより、該金属製支持部材５と該板状体７と該太鼓材３とを強固に固着できる。
【００１９】
固着具９は、該金属製支持部材５長手側の両方向に備えさせることにより、該金属製支持部材５のねじれを防止する。
【００２０】
図１０は、合板２５を備える残存型枠１の設置状態の一例を示す側面図である。複数本の太鼓材３と複数本の金属製支持部材５との間に合板２５を備える。該複数本の太鼓材３は、該太鼓材同士が接触しないように同一平面上に配設され、該複数本の金属製支持部材５は、該複数本の太鼓材３が配設された方向と交差する方向であって、該各金属製支持部材５が相互に接触しないように同一平面上に配設される。該金属製支持部材５と該合板２５と該太鼓材３とは、該金属製支持部材５の長手側両方向に備える複数の固着具９により固着せしめる。残存型枠１は、金属製支持部材５が向かい合うように基礎２１又は下側のコンクリート構造物２３上に立設される。該一対の残存型枠１はタイ材１５及びサポート手段１７により所望の位置に固定する。該タイ材１５と該金属製支持部材５とは溶接手段により固着するすることが好ましい。一例として、該タイ材１５は鉄筋を用い、該サポート手段１７は金属製パイプを用いる。
【００２１】
該金属製支持部材５及び固着具９はコンクリート打設後にコンクリート内に埋没するため、該金属製支持部材５及び該固着具９の腐食による該コンクリートの損傷（該金属製支持部材５又は該固着具９と該コンクリートとの剥離）を防止するために高耐食性メッキが施されているものを用いるのが好ましい。該高耐食性メッキの一例として、溶融亜鉛メッキを用いる。    
【符号の説明】
【００２２】
１  残存型枠
３  太鼓材
５  金属製支持部材
７  板状体
９  固着具  
１１  座金
１３  コーチスクリュー
１５  タイ材
１７  サポート手段
１９  固定手段
２１  基礎
２３  下側のコンクリート構造物
２５  合板 
【図１】
0003212129.tif 000003
【図２】
0003212129.tif 000004
【図３】
0003212129.tif 000005
【図４】
0003212129.tif 000006
【図５】
0003212129.tif 000007
【図６】
0003212129.tif 000008
【図７】
0003212129.tif 000009
【図８】
0003212129.tif 000010
【図９】
0003212129.tif 000011
【図１０】
0003212129.tif 000012